(57)【要約】【課題】  カラオケボックスにおいて、選曲予約済み状態で、カラオケ室を移動することが必要になった場合、移動先で再度選曲予約の手間をかけずに歌唱を継続したい。【解決手段】  移動元カラオケ室のカラオケ装置に記憶されている予約リストを、該当セッション内にペアリングしている任意のリモコン端末装置が受信し、移動先のカラオケ装置とペアリングした際に当該予約リストを新しくペアリングしたカラオケ装置に送信することにより、移動先のカラオケ室でも、移動元で入力した予約リストを引き継ぐことで、改めて選曲予約せずに歌唱を継続できるようにした。【選択図】図３
2015055756.tif 000002
【特許請求の範囲】
【請求項１】
複数のカラオケ装置が特定ネットワークを経由して、個々の前記カラオケ装置とカラオケ装置を操作する任意数のアカウントが利用する任意数のリモコンとを接続し、利用単位を特定するセッションで対応付けるネットワークカラオケシステムであって、
予約済楽曲が再生待ち状態でいるセッションの途中に、カラオケ装置の変更をする際、  現在のセッション情報で対応づけられている変更前のカラオケ装置が保有している予約順、予約アカウント情報を含む予約リスト情報を当該セッションに対応づけられている任意のリモコンが取得し、
別のカラオケ装置との新たなセッションでの対応付けを設定した際に、前記予約リスト情報を新しく対応付けをしたカラオケ装置に伝達することにより、カラオケ装置変更前の予約状況を再現できることを特徴とするカラオケシステム。
【発明の詳細な説明】
【技術分野】
【０００１】
本発明は、複数のカラオケルームにおいて、カラオケ装置のリモコン端末として動作する利用者の多機能携帯端末により選曲予約を行ない、利用者がカラオケルームを移動する際に、移動前のカラオケルームにおける予約状態を、移動先のカラオケルームで再現することが可能なカラオケシステムに関するものである。
【背景技術】
【０００２】
カラオケボックスでカラオケルームを利用する場合に、カラオケボックスの混雑状況によっては、必ずしも同じ部屋（＝同じカラオケ装置）を最後まで使用できるとは限らない。
【０００３】
最初は、人数に見合った部屋が空いていないため、必要以上に大きな部屋あるいは窮屈な部屋で開始して、適当な大きさの部屋が空いた時点で移動をお願いされるなどのケースが考えられる。
【０００４】
このようにカラオケルームを移動した場合には、既に楽曲の演奏予約を行っていたにもかかわらず、移動先のカラオケルームで再度選曲予約操作を行わなければならないため、利用者にとって煩わしく感じることがあった。このため、カラオケルームを移動した場合であっても、移動先のカラオケ装置において、移動前に行った楽曲の演奏予約情報を引き継ぐことが可能な技術が開示されている。
【先行技術文献】
【特許文献】
【０００５】
【特許文献１】特許３８８４７９９号公報
【特許文献２】特開２０１３−０３３０７３号公報
【発明の概要】
【発明が解決しようとする課題】
【０００６】
特許文献１は、ある部屋から他の部屋へ移動し、その移動した部屋のカラオケ装置によってカラオケを行う場合において、移動先の部屋に備えられたカラオケ装置を要求側とし、移動する前の部屋に備えられたカラオケ装置を応答側とした場合に、応答側のカラオケ装置の制御装置に備えられた予約曲リストデータメモリに記憶された予約曲リストデータを通信回線を介して要求側のカラオケ装置の制御装置に送信するというものである。
【０００７】
特許文献２のパーソナル携帯端末を用いたカラオケ選曲システムは、任意のカラオケ演奏端末において、任意のパーソナル携帯端末から再生停止指示が入力され、選曲待避情報を受信した場合に、当該カラオケ演奏端末におけるすべての選曲予約情報を予約待ち行列から待避させて、すべての楽曲の再生を停止させる選曲予約情報待避手段と、移動前のカラオケ演奏端末で予約待ち行列から待避されている選曲予約情報を、移動先情報を受信した新演奏端末識別情報を有するカラオケ演奏端末に移行させる選曲予約情報移行手段とを備えるものである。
【０００８】
特許文献１では、ネットワーク経由で移動先の部屋からの操作で予約リストの移動が行われるため、
（１）部屋が決まったあとでないと、予約リストの移動が行われないため、それまで最初の部屋は次の客のために稼働できない、
（２）ネットワーク上のデータ移動プロトコルが必要、
などの難点がある。
【０００９】
特許文献２では、利用者のパーソナル携帯端末を用いて予約待ち行列から退避した選曲退避情報を当該パーソナル携帯端末のネットワークを使用して、中継サーバに退避して、中継サーバより、新演奏端末へ転送するというものであるが、このために情報退避用の中継サーバを設置したり、ネットワーク内でのデータ転送の機能を新規追加することになり大掛かりな変更となってしまう。
【課題を解決するための手段】
【００１０】
上記の課題を解決するために、本発明では複数のカラオケ装置とカラオケ装置を操作する任意数のアカウントが利用する任意数のリモコンとを接続し、利用単位を特定するセッションで対応付けるネットワークカラオケシステムにおいて、
予約済楽曲が再生待ち状態でいるセッションの途中に、カラオケ装置の変更をする際、現在のセッション情報で対応づけられている変更前のカラオケ装置が保有している予約順、予約アカウント情報を含む予約リスト情報を任意のリモコンが取得し、
別のカラオケ装置との新たなセッションでの対応付けを設定した際に、前記予約リスト情報を新しく対応付けをしたカラオケ装置に伝達してカラオケ装置変更前の予約状況を再現できるようにするというものである。
【発明の効果】
【００１１】
本発明により、カラオケボックスにおいてカラオケを楽しんでいる最中に、カラオケボックスの都合によりカラオケ室の移動を要請された際に、簡単なリモコン操作のみで別途大がかりなサーバなどの設置を伴わず、また移動先のルームが確定する前であってもカラオケ室を退室し、新しいカラオケ室のカラオケ装置で移動前の予約状況を再現して引き続きカラオケを楽しむことができるようになる。
【図面の簡単な説明】
【００１２】
【図１】本発明の一実施例：最初の部屋で選曲予約済みの状態。
【図２】本発明の一実施例：部屋の移動依頼発生、移動のため予約リスト要求中。
【図３】本発明の一実施例：予約リスト受信中。
【図４】本発明の一実施例：新たな部屋でカラオケ装置と多機能携帯端末のペアリング。
【図５】本発明の一実施例：新たな部屋で、多機能携帯端末からカラオケ措置に予約リスト転送。
【発明を実施するための形態】
【００１３】
次に図１〜図５で、本発明の実施例を説明する。
（１）カラオケ室３でカラオケ演奏中。カラオケ装置１は多機能携帯端末５と紐づけされている。(図１)
（２）カラオケ室移動のため、多機能携帯端末５からカラオケ装置１に予約リスト６を要求。（図２）
（３）多機能携帯端末５が予約リスト７を受領。（図３）
（４）多機能携帯端末５がカラオケ室４にある別のカラオケ装置２と紐づける。（図４）
（５）多機能携帯端末５が、カラオケ装置２に予約リスト７を送信することで、カラオケ装置1での予約リスト６がカラオケ装置２に予約リスト８として引き継がれる。（図５）
【符号の説明】
【００１４】
１…カラオケ装置
２…カラオケ装置
３…カラオケ室
４…カラオケ室
５…多機能携帯端末
６…予約リスト
７…予約リスト
８…予約リスト
【図１】
2015055756.tif 000003
【図２】
2015055756.tif 000004
【図３】
2015055756.tif 000005
【図４】
2015055756.tif 000006
【図５】
2015055756.tif 000007